(57)【特許請求の範囲】
【請求項１】
立坑における拡幅部天井用土留めパネルと、縦土留めパネルとの接合構造において、縦土留めパネルの上フランジに切欠き部または透孔からなる挿入部が設けられ、拡幅部天井用土留めパネルには、前記挿入部に挿入可能な支持部材における支持面が、拡幅部天井用土留めパネルに設けられた天板から若干下方に離れた位置に設けられて、前記支持面と天板下面との間に、上フランジ配置空間が設けられ、縦土留めパネルの挿入部に拡幅部天井用土留めパネルの支持部材を挿入させた状態で、縦土留めパネルを横にスライドさせることで、縦土留めパネルの上フランジが前記上フランジ配置空間に配置されて接合されていることを特徴とする立坑の土留めパネルの接合構造。
【請求項２】
縦土留めパネルには、上フランジに切欠き部からなる挿入部が設けられていると共に、背面に突起が設けられており、拡幅部天井用土留めパネルには、端部に溝形鋼を備え、溝形鋼の対向する各縦内面には、一方に弾性体が、他方に押さえ部を備えた前記支持部材が対向するように設けられ、弾性体と押さえ部間に、縦土留めパネルの縦部分が挟み込まれて固定されることを特徴とする請求項１に記載の立坑の土留めパネルの接合構造。
【請求項３】
縦土留めパネルは、上フランジに広幅の透孔からなる挿入部と、その挿入部に接続する狭幅の被係止用透孔を備え、拡幅部天井用土留めパネルには端部にウエブを上面板とする溝形鋼を備え、前記ウエブの下面側には、下方に向って両側面が離反するように傾斜する傾斜面を有する係止フックからなる支持部材の上部が固定され、前記傾斜面の下部側は前記被係止用透孔よりも広幅とされていることを特徴とする請求項１に記載の土留めパネルの接合構造。
【発明の詳細な説明】
【技術分野】
【０００１】
本発明は、立坑を構成する土留めパネルの接合構造に関し、特に横方向の土留めパネルと縦方向の土留めパネルとの接合構造に関する。
【背景技術】
【０００２】
従来、土留めパネルの上下方向の接合構造としては、（１）ライナープレートにおけるフランジに立坑半径方向の長孔を設けてボルト・ナットにより組立てるようにしたライナープレートが知られている（例えば、特許文献１参照）。
【０００３】
また、（２）一方のライナープレートの一端部に対向する突出フランジを設け、他方のライナープレートの端部を嵌合させるようにしたライナープレートも知られている（例えば、特許文献２参照）。
【特許文献１】特開２００２−２９５１７０号公報
【特許文献２】特開平９−１２５８８８号公報
【発明の開示】
【発明が解決しようとする課題】
【０００４】
前記（１）従来の場合は、ボルト・ナットによる結合のため、天井部と壁部のパネルを接合するのは、狭隘な場所であるため、人力等により壁部を支えた状態で、ボルト孔にボルトを挿通しナットにより接合することになるため、手間が掛かると共に、壁パネルの位置決め後にボルトの挿通およびナットにより結合するという工数もかかり、施工が煩雑になっていると共に壁部を支える労力が必要であった。
また、前記（２）の場合は、上下方向の縦土留めパネルの接続には、単に上から縦土留めパネルを下位に位置する縦土留めパネルに置く場合には有効であるが、横方向の天井部パネルと縦方向の縦土留めパネルを接合するのには採用できないという問題があった。
本発明は、前記の課題を有利解消することができ、横方向の天井部パネルと縦方向の縦土留めパネルを、ボルト・ナットを使用することなく縦土留めパネルを横枠移動させることで接合することが可能な立坑の土留めパネルの接合構造を提供することを目的とする。
【課題を解決するための手段】
【０００５】
前記の課題を有利に解決するために、第１発明の立坑の土留めパネルの接合構造では、立坑における拡幅部天井用の拡幅部天井用土留めパネルと、縦土留めパネルとの接合構造において、縦土留めパネルの上フランジに切欠き部または透孔からなる挿入部が設けられ、拡幅部天井用土留めパネルには、前記挿入部に挿入可能な支持部材における支持面が、拡幅部天井用土留めパネルに設けられた天板から若干下方に離れた位置に設けられて、前記支持面と天板下面との間に、上フランジ配置空間が設けられ、縦土留めパネルの挿入部に拡幅部天井用土留めパネルの支持部材を挿入させた状態で、縦土留めパネルを横にスライドさせることで、縦土留めパネルの上フランジが前記上フランジ配置空間に配置されて接合されていることを特徴とする。
【０００６】
また、第２発明では、第１発明の立坑の土留めパネルの接合構造において、縦土留めパネルには、上フランジに切欠き部からなる挿入部が設けられていると共に、背面に突起が設けられており、拡幅部天井用土留めパネルには、端部に溝形鋼を備え、溝形鋼の対向する各縦内面には、一方に弾性体が、他方に押さえ部を備えた前記支持部材が対向するように設けられ、弾性体と押さえ部間に、縦土留めパネルの縦部分が挟み込まれて固定されることを特徴とする。
【０００７】
また、第３発明では、第１発明の立坑の土留めパネルの接合構造において、縦土留めパネルは、上フランジに広幅の透孔からなる挿入部と、その挿入部に接続する狭幅の被係止用透孔を備え、拡幅部天井用土留めパネルには端部にウエブを上面板とする溝形鋼を備え、前記ウエブの下面側には、下方に向って両側面が離反するように傾斜する傾斜面を有する係止フックからなる支持部材の上部が固定され、前記傾斜面の下部側は前記被係止用透孔よりも広幅とされていることを特徴とする。
【発明の効果】
【０００８】
第１発明によると、縦土留めパネルの上フランジに切欠き部または透孔からなる挿入部が設けられ、拡幅部天井用土留めパネルには、前記挿入部に挿入可能な支持部材における支持面が、拡幅部天井用土留めパネルに設けられた天板から若干下方に離れた位置に設けられて、前記支持面と天板下面との間に、上フランジ配置空間が設けられているので、縦土留めパネルの挿入部に拡幅部天井用土留めパネルの支持部材を挿入させた状態で、縦土留めパネルを横にスライドさせることで、縦土留めパネルの上フランジを前記上フランジ配置空間に配置させて、横方向の拡幅部天井用土留めパネルと縦方向の縦土留めパネルとを簡単に接合させることができる。また、ボルトを使用しないので、縦土留めパネルを横にスライドさせるだけで、ワンタッチで機械的に接合できるので、施工が容易である。
また、拡幅部天井用土留めパネル側および縦土留めパネル側の構造も簡単であるため、接合構造が簡単である。
【０００９】
第２発明によると、縦土留めパネルには、上フランジに切欠き部からなる挿入部が設けられていると共に、背面に突起が設けられており、拡幅部天井用土留めパネルには、端部に溝形鋼を備え、溝形鋼の対向する各縦内面には、一方に弾性体が、他方に押さえ部を備えた前記支持部材が対向するように設けられ、弾性体と押さえ部間に、縦土留めパネルの縦部分が挟み込まれて固定されているので、縦土留めパネルをガタなく精度よく建て込むことができる。
【００１０】
第３発明によると、縦土留めパネルは、上フランジに広幅の透孔からなる挿入部と、その挿入部に接続する狭幅の被係止用透孔を備え、拡幅部天井用土留めパネルには端部にウエブを上面板とする溝形鋼を備え、前記ウエブの下面側には、下方に向って両側面が離反するように傾斜する傾斜面を有する係止フックからなる支持部材の上部が固定され、前記傾斜面の下部側は前記被係止用透孔よりも広幅とされているので、前記係止フックにおける傾斜面に縦土留めパネルの被係止用透孔を位置させて、縦土留めパネルを拡幅部天井用土留めパネルに支持させることができる。
【発明を実施するための最良の形態】
【００１１】
次に、本発明を図示の実施形態に基づいて詳細に説明する。
【００１２】
図１および図２は、拡幅立坑を施工すべく、地盤１を掘削して縦土留め体５を設けると共に拡幅部天井用パネル３（図２参照）を設けて、拡幅部天井用パネル３と前壁の縦土留めパネル１９との接合までの一実施形態の工程説明図である。
【００１３】
この工程について簡単に説明すると、地盤１を掘削して縦孔２の内側に、複数の土留めパネル２９を接合し、また地山と前記土留めパネル２９の組立体からなる縦土留め体５との間にグラウトを充填した縦土留め体５を設けると共に、その縦土留め体５の下部を、ハンド式オーガー８等のオーガー式掘削機を使用して横方向に拡幅するように掘削し、図１（ｃ）〜（ｅ）に示すように、拡幅部天井用パネル３（図２参照）を支持するための支持梁１１を、複数のH形鋼等の親杭６に設けたブラケット１０により支持させ、左右方向に隣り合う支持梁１１上に横桁１２を奥行き方向に間隔をおいて平行に複数本載置して固定し、その横桁１２を支持レールとして、ライナープレート等の拡幅部天井用土留めパネル３をスライドさせて押し込み配置して、拡幅部天井用の拡幅土留め体４を設置している。
【００１４】
なお、奥行き方向先端側の天井用土留めパネル３の先端部は、支持梁１１より突出させて、下位に位置する壁用土留めパネルとの接合を容易にしておく。そのために、拡幅土留め体の奥行き長さより若干奥深く掘削して奥行き方向の空間部を形成している。
【００１５】
次に、縦土留め体５の下端部に、H形鋼等の分割型リングを組み立てて補強リング１３を設け、前記補強リング１３のフランジと、拡幅部手前の天井用土留めパネル３の継手板をボルト・ナットとにより結合して組立て、また、前記補強リング１３のウエブと縦土留め体５の継手板とをボルト・ナットとにより結合して組立て、また、適宜支持梁１１と横桁１２との間に高さ調整用プレートを介在させて、天井用土留めパネル３のレベル調整を行い、天井用土留めパネル３の継手板１５相互をボルト・ナット１４とにより結合している。
【００１６】
そして、奥部の天井用土留めパネル３に、拡幅部における最上部に位置する前部用の前壁パネルからなる縦土留めパネル１９を取り付けている状態が示されている。
本発明では、天井用土留めパネル３と縦土留めパネル１９との接合を簡単に接合できる土留めパネルの接合構造を主眼としている。
【００１７】
以下、図３から図１０を参照して本発明の第１実施形態の土留めパネルの接合構造について説明する。
先ず、図９の斜視図および図３の平面伏図を参照して、拡幅方向奥部の拡幅部天井用土留めパネル３側の構造について説明すると、図９では立坑に配置された場合の内面側からの斜視図が示され、拡幅部天井用土留めパネル３の奥側の前端部には、溝形鋼７ａのフランジ７ｂが溶接等により一体に設けられて構成された支持部材取付金具７を備えている。前記支持部材取付金具７はウエブを天板７ｃとし、一方（基端側）のフランジ７ｂを拡幅部天井用土留めパネル３の本体部側に固定し、下側が開放されている。
【００１８】
基端側のフランジ７ｂの縦内面には、フランジ長手方向に１つまたは間隔をおいて複数の支持部材９の一端側が固定され、前記支持部材９は間隔をおいて対向するフランジの縦内面に向かって突出するように設けられ、かつ前記支持部材取付金具７の対向するフランジ７ｂの縦内面には、板バネ等の弾性体１６が固定され、さらに支持部材９は、支持部材取付金具７における天板（ウエブ）７ｃ下面から若干下方に離れた状態で固定されている。
【００１９】
前記支持部材９とこれに間隔をおいて対向する弾性体１６との間隔は、縦土留めパネル１９における縦板１８の板厚よりも大きい寸法で、縦板１８とこれに固定された突起１７との厚みよりも小さい寸法とされている。
【００２０】
また前記支持部材９は、小型の断面溝形鋼からなり、支持部材取付金具７と同じ下向き開放とされ、前記支持部材９のウエブ上面を支持面９ａとし、支持部材取付金具７における天板（ウエブ）７ｃ下面と、前記支持部材９のウエブ上面の支持面９ａとの間を、これに支持されて取り付けられる縦土留めパネル１９における上フランジ２０の挿入配置用空間２２とされている。
【００２１】
前記のような拡幅部天井用パネル３に支持される縦土留めパネル１９は、図１０に立坑に配置された場合の内面側からの斜視図を、また、図８（ｃ）に断面図を示すように、縦土留めパネル１９における上フランジ２０には、上フランジ２０長手方向に間隔をおいて複数の切り欠き部からなる挿入部２１が設けられ、上フランジ２０に接続する縦板１８の背面側には、挿入部２１から離れた位置に突起１７が設けられ、かつ前記突起１７は縦土留めパネル１９が横移動される側に配置されている。
【００２２】
図６に示すように、縦土留めパネル１９の上部を支持部材取付金具７の溝内に配置し、縦土留めパネル１９における挿入部２１を、支持部材９を挿入可能な位置に位置させた状態で縦土留めパネル１９を上昇させ、縦土留めパネル１９を設置すべく支持部材取付金具７の長手方向に横移動させると、図７および図８（ａ）に示すように、所定の設置位置に横移動された縦土留めパネル１９の突起１７は、前記弾性体１６に係合して弾性体１６を押圧することで、縦土留めパネル１９の縦板１８を、支持部材９側のフランジからなる押さえ部９ｂに押し付けることで、縦土留めパネル１９のがたつきを防止するようにされる。
【００２３】
図３（ａ）（ｂ）および図４（ａ）（ｂ）に設置工程の平面伏図として示すように、最初に設置される縦土留めパネル１９は、側壁パネル２３におけるストッパ２４に係合することで設置位置が設定され、次に設置される縦土留めパネル１９は、既設側の縦土留めパネル１９に当接することで、既設縦土留めパネル１９がストッパとして機能する。
【００２４】
図３および図４では、３枚の拡幅部天井用土留めパネル３が並列して配置された状態に対して、２の縦土留めパネル１９を支持させる形態が示され、２つの支持部材９に跨るように縦土留めパネル１９の上フランジ２０は配置されて、縦土留めパネル１９を支持するようにされている。図５（ａ）〜（ｄ）には、それぞれ図３（ａ）（ｂ）および図４（ａ）（ｂ）において、支持部材取付金具７における弾性体１６に対して、縦土留めパネル１９を横移動した場合の位置関係が示されている。
前記の突起１７と弾性体１６は取付位置関係を逆にしてもよく、支持部材と弾性体１６も縦土留めパネル１９における上フランジ２０の切り欠き部からなる挿入部２１の向きが代わると、逆の取付位置関係にすることができる。
【００２５】
図１１から図１４は、本発明の第２実施形態を示したもので、第１実施形態では支持部材取付金具７におけるフランジ７ｂの縦内面に、支持部材９を取り付けた形態を示したが、支持部材取付金具７における天板７ｃの下面側に、上部に細首部２５を備え、また前記細首部２５の下側の前後両側面に下方に向って拡大する傾斜面２６を有する係止フック２７からなる支持部材９を、左右方向に間隔を置いて直列に複数設け、また最上部に位置する前部用の前壁パネルからなる縦土留めパネル１９の上フランジ２０に、広幅透孔３０とこれに接続する狭巾透孔３１とからなる被係止用透孔３２を、間隔をおいて直列に複数設けて、接合するようにしてもよい。
この場合には、縦土留めパネル１９を持ち上げて、その縦土留めパネル１９における前記広幅透孔３０に、拡幅部天井用土留めパネル３の吊下げ用係止フック２７からなる支持部材９を挿入した状態で、縦土留めパネル１９を横移動させることにより、支持部材９の広幅側の傾斜面２６を狭巾透孔３１の下側に位置させることにより、前記支持部材９により縦土留めパネル１９を吊り下げ支持させる接合形態としている。前記の前後の傾斜面２６により、縦土留めパネル１９の前後方向の位置決めがされるため、第１実施形態における弾性体１６および突起１７を必要としていない。また、傾斜面２６と支持部材取付金具７における天板下面を、縦土留めパネル１９における上フランジ２０の配置空間２２としている。
【００２６】
吊下げ用係止フック２７としては、図１４に示すようにブロック状の部材を、支持部材取付金具７における天板７ｃに溶接により固定するようにしてもよく、あるいは、図１５および図１６に支持部材９の変形形態の例として示すように、鋼板を折り曲げ形成して、上部を鋼板相互を重合させて細くした細首部２５とし、その細首部２５の下部に、下方に向かって離反するように傾斜する前後両側面の傾斜面２６を備えた吊下げ用係止フック２７からなる支持部材９でもよい。なお、図１５において、図１３と同様な部分には同様な符号を付した。
【図面の簡単な説明】
【００２７】
【図１】本発明の立坑の土留めパネルの接合構造を説明するための工程説明図であって、（ａ）は、縦土留め体下部の拡幅天井部を奥部に向かってつぼ掘りしている状態の横断平面図、（ｂ）はその縦断側面図、（ｃ）は支持梁の張り出し部付近を示す縦断側面図、（ｄ）親杭にブラケットを介して支持されている支持梁付近を示す正面図、（ｅ）は（ｄ）の一部を拡大して示す拡大図である。
【図２】（ａ）は前壁パネルを設置した状態を示す縦断側面図、（ｂ）は（ａ）の正面図、（ｃ）は拡幅部天井土留めパネルと前壁パネルとの接合部を示す縦断正面図である。
【図３】（ａ）および（ｂ）は、拡幅部天井用土留めパネルに縦土留めパネルを接合する工程の平面伏図である。
【図４】（ａ）および（ｂ）は、拡幅部天井用土留めパネルに縦土留めパネルを接合する工程の平面伏図である。
【図５】（ａ）〜（ｄ）は、拡幅部天井用土留めパネルに対して、縦土留めパネルを徐々に横移動させた場合の接合状況を示す断面図であり、図３（ａ）（ｂ）および図４（ａ）（ｂ）におけるそれぞれＡ−Ａ，Ｂ−Ｂ，Ｃ−ＣおよびＤ−Ｄ線の断面図である。
【図６】拡幅部天井用土留めパネルにおける支持部材に、縦土留めパネルにおける挿入部を位置させた状態を示す一部切欠斜視図である。
【図７】縦土留めパネルを横移動させて、拡幅部天井用土留めパネルに縦土留めパネルを接合した状態を示す一部縦断斜視図である。
【図８】（ａ）は図７の縦断側面図、（ｂ）は支持部材取付金具を示す縦断側面図、（ｃ）縦土留めパネルの縦断側面図である。
【図９】図７における拡幅部天井用土留めパネルを取り出して示す斜視図である。
【図１０】図７における縦土留めパネルを取り出して示す斜視図である。
【図１１】複数（３枚）の拡幅部天井用土留めパネルにおける支持部材取付金具と、複数（２枚）の縦土留めパネルにおける挿入部を備えた被係止用透孔との吊り下げ位置における平面位置関係を分離して示す平面伏図である。
【図１２】拡幅部天井用土留めパネルにおける支持部材取付金具に対し、縦土留めパネルにおける挿入部を挿入位置に配置した場合の平面位置関係を分離して示す平面伏図である。
【図１３】（ａ）は天井用土留めパネルの係止フックからなる支持部材に縦土留めパネルを吊り下げ係止して接合した状態を示す縦断正面図、（ｂ）は天井用土留めパネルにおける係止フック部付近を示す平面図、（ｃ）は縦土留めパネルにおける被係止孔付近の平面図である。
【図１４】支持部材を示すものであって、（ａ）は側面図、（ｂ）は平面図、（ｃ）は正面図、（ｄ）は斜視図である。
【図１５】図１１に示す係止フックの変形形態により天井用土留めパネルに縦土留めパネルを接合する場合を示すものであって、（ａ）は天井用土留めパネルの係止フックに縦土留めパネルを吊り下げ係止して接合した状態を示す縦断正面図、（ｂ）は天井用土留めパネルにおける係止フック部付近を示す平面図、（ｃ）は縦土留めパネルにおける被係止孔付近の平面図である。
【図１６】支持部材の変形形態を示すものであって、（ａ）は側面図、（ｂ）は平面図、（ｃ）は正面図、（ｄ）は斜視図である。
【符号の説明】
【００２８】
１  地盤
２  縦孔
３  拡幅部天井用パネル
４  拡幅土留め体（拡幅部天井用）
５  縦土留め体
６  親杭
７  支持部材取付金具
７ａ  溝形鋼
７ｂ  フランジ
７ｃ  天板
８  ハンド式オーガー
９  支持部材
９ａ  支持面
９ｂ  押さえ部
１０  ブラケット
１１  支持梁
１２  横桁
１３  補強リング
１４  ボルト・ナット
１５  継手板
１６  弾性体
１７  突起
１８  縦板
１９  前壁の縦土留めパネル
２０  上フランジ
２１  挿入部
２２  挿入配置用空間
２３  側壁パネル
２４  ストッパ
２５  細首部
２６  傾斜面
２７  係止フック
２９  土留めパネル
３０  広幅透孔
３１  狭巾透孔
３２  被係止用透孔
【図１】
0004741926.tif 000002
【図２】
0004741926.tif 000003
【図３】
0004741926.tif 000004
【図４】
0004741926.tif 000005
【図５】
0004741926.tif 000006
【図６】
0004741926.tif 000007
【図７】
0004741926.tif 000008
【図８】
0004741926.tif 000009
【図９】
0004741926.tif 000010
【図１０】
0004741926.tif 000011
【図１１】
0004741926.tif 000012
【図１２】
0004741926.tif 000013
【図１３】
0004741926.tif 000014
【図１４】
0004741926.tif 000015
【図１５】
0004741926.tif 000016
【図１６】
0004741926.tif 000017